(57)【要約】【課題】プロジェクターの高さ位置、傾斜角度、前後方向の位置、旋回角度等の調節を任意に行うことができて、使用者の利便性を飛躍的に高めることができ、プロジェクター不使用時の収納にも至便であり、また、新規設置の場合に限らず、既存の黒板等の補修時等の機会においても、容易に据付設置工事が可能で、既存の黒板等の機能を拡大し得る多機能ボード用プロジェクターハンガー及びそれを備えた多機能ボードを提供することを課題とする。【解決手段】電子黒板、ホワイトボード、スクリーンボード等の各種ボードの機能のうちの複数を併有する多機能ボード２にプロジェクター３を搭載するためのハンガーであって、該ハンガーは、プロジェクター３を映写に好適な位置に移動させ、且つ、好適な向きに向けることが可能な状態にて吊持するアーム１を有することを特徴とする。【選択図】図１
2010139965.tif 000002
【特許請求の範囲】
【請求項１】
電子黒板、ホワイトボード、スクリーンボード等の各種ボードの機能のうちの複数を併有する多機能ボードにプロジェクターを搭載するためのハンガーであって、前記ハンガーは、前記プロジェクターを映写に好適な位置に移動させ、且つ、好適な向きに向けることが可能な状態にて吊持するアームを有することを特徴とする多機能ボード用プロジェクターハンガー。
【請求項２】
前記アームは、前記プロジェクターが、上下方向及び／又は前記アームの長さ方向に移動し得るように吊持すると共に、前記プロジェクターが、所望の方向に向けて回動し得るように支持することを特徴とする、請求項１に記載の多機能ボード用プロジェクターハンガー。
【請求項３】
前記アームは、水平方向に旋回可能に軸支される、請求項１又は２に記載の多機能ボード用プロジェクターハンガー。
【請求項４】
前記アームは、上下方向に移動可能に支持される、請求項１乃至３のいずれかに記載の多機能ボード用プロジェクターハンガー。
【請求項５】
前記アームは、ボード面に沿って横方向に移動可能にされる、請求項１乃至４のいずれかに記載の多機能ボード用プロジェクターハンガー。
【請求項６】
前記アームは、その長さ方向に移動可能に設置されるプロジェクター吊持具を介して、前記プロジェクターを吊持する、請求項１乃至５のいずれかに記載の多機能ボード用プロジェクターハンガー。
【請求項７】
前記プロジェクター吊持具は、前記アームを進入させることによって前記アームに取り付けられるスライド枠と、前記スライド枠に垂直方向に向くように付設される摺動支持筒と、前記摺動支持筒内に摺動可能に挿入される吊持軸と、前記吊持軸の下端に取り付けられて前記吊持軸と直交方向にスライドするスライド棒と、前記スライド棒に吊持されるプロジェクター固定板とから成る、請求項６に記載の多機能ボード用プロジェクターハンガー。
【請求項８】
前記プロジェクター固定版は、パンチングメタルである、請求項7に記載の多機能ボード用プロジェクターハンガー。
【請求項９】
前記アームは、そのプロジェクター吊持側と反対側の端部にバランスウエイトを備える、請求項１乃至8のいずれかに記載の多機能ボード用プロジェクターハンガー。
【請求項１０】
請求項１乃至9のいずれかに記載の多機能ボード用プロジェクターハンガーを備えたことを特徴とする、多機能ボード。
【請求項１１】
壁面固定式である、請求項10に記載の多機能ボード。
【請求項１２】
移動式である、請求項10に記載の多機能ボード。
【請求項１３】
パソコン台を備えていることを特徴とする、請求項10乃至１2のいずれかに記載の多機能ボード。
【請求項１４】
スライドコンセントを備えていることを特徴とする、請求項１0乃至13のいずれかに記載の多機能ボード。
【発明の詳細な説明】
【技術分野】
【０００１】
本発明は、多機能ボード用プロジェクターハンガー及びそれを備えた多機能ボード、より詳細には、電子黒板、ホワイトボード、スクリーンボード等の各種ボードの機能のうちの複数を併有する多機能ボードに対し、映写に好適な位置にプロジェクターを配備するためのハンガー、及び、それを備えた多機能ボードに関するものである。
【背景技術】
【０００２】
従来、学校等の教育関連施設や病院等の公共施設、あるいは、企業等においては、ホワイトボ―ドやスクリーン面等の投影表示面に映像等の情報の投写を行うに当たり、多くの場合、天井や壁等の黒板以外の場所にプロジェクターを固定している。そのため、その投写作業に先立ち、プロジェクターを固定するための各種の吊り下げ固定装置を設置し、あるいは、その都度黒板の前面に机等の設置台を準備することが必要となっていた。
【０００３】
本願出願人は、従来必要であったこれらの工事や作業を省略して使用環境の改善を図るため、プロジェクターハンガーを黒板やホワイトボ―ド板に直に装着する方法を提案している（特願２００７−２９１７３６並びに特願２００７−２９１８２６）。それらは、通常の固定型黒板や移動スタンド型黒板に対し、その前面上に、左右にスライドさせて位置調整をすることができる、電子黒板やホワイトボ―ド等の可動副ボードを配設し、その可動副ボードに直接、一体にプロジェクターハンガーを装着するようにしたものである。
【０００４】
しかるに、上記提案に係るものの場合、プロジェクターは固定状態に配設されていて、最適な状態にて映写するために、電子黒板等の映写される盤面に対するプロジェクターの高さ位置、傾斜角度、前後方向の位置、旋回角度等の調節を任意になし得ない構造となっている。そのため、プロジェクター不使用時の収納や、使用時の上方向又は斜め方向からの投影などを含み、使用者が望ましいと思う投影方向にプロジェクターを向けるために、アームの操作をすることができず、使用者にとっての不便を囲う等の問題があった。
【０００５】
更に、従来の上記ボードには、プロジェクターの使用に際して用いられるパソコンを載置する台等が付設されていないため、別途そのためのデスク、テーブル等を用意しなければならなかった。また、電子黒板及びプロジェクターやパソコン等にはそれぞれ、電源供給のためのコードが付けられているが、左右方向に大きく移動する多機能ボードにあっては長大なコードが必要となり、その延長、収納等の取り扱い処理に不便さがあった。
【特許文献１】特願２００７−２９１７３６
【特許文献２】特願２００７−２９１８２６
【発明の開示】
【発明が解決しようとする課題】
【０００６】
本発明は、従来技術における上述した問題点を解決すべくなされたもので、プロジェクターの使用者が、プロジェクターを映写に好適な状態に配置するために、電子黒板等の映写される盤面に対するプロジェクターの高さ位置、傾斜角度、前後方向の位置、旋回角度等の調節を任意に行うことができて、使用者の利便性を飛躍的に高めることができ、プロジェクター不使用時の収納にも至便であり、また、新規設置の場合に限らず、既存の黒板等の補修時等の機会においても、容易に据付設置工事が可能で、既存の黒板等の機能を拡大し得る多機能ボード用プロジェクターハンガー及びそれを備えた多機能ボードを提供することを課題とする。
【課題を解決するための手段】
【０００７】
上記課題を解決するための請求項１に記載の発明は、電子黒板、ホワイトボード、スクリーンボード等の各種ボードの機能のうちの複数を併有する多機能ボードにプロジェクターを搭載するためのハンガーであって、前記ハンガーは、前記プロジェクターを映写に好適な位置に移動させ、且つ、好適な向きに向けることが可能な状態にて吊持するアームを有することを特徴とする多機能ボード用プロジェクターハンガーである。
【０００８】
一実施形態においては、前記アームは、前記プロジェクターが、上下方向及び／又は前記アームの長さ方向に移動し得るように吊持すると共に、前記プロジェクターが、所望の方向に向けて回動し得るように支持する。
【０００９】
一実施形態において、前記アームは水平方向に旋回可能に軸支され、また、前記アームは上下方向に移動可能に支持される。また、前記アームは、ボード面に沿って横方向に移動可能にされることもある。更に、前記アームは、そのプロジェクター吊持側と反対側の端部にバランスウエイトを備えることもある。
【００１０】
また、一実施形態において、前記アームは、その長さ方向に移動可能に設置されるプロジェクター吊持具を介して前記プロジェクターを吊持する。例えば、前記プロジェクター吊持具は、前記アームを進入させることによって前記アームに取り付けられるスライド枠と、前記スライド枠に垂直方向に向くように付設される摺動支持筒と、前記摺動支持筒内に摺動可能に挿入される吊持軸と、前記吊持軸の下端に取り付けられて前記吊持軸と直交方向にスライドするスライド棒と、前記スライド棒に吊持されるプロジェクター固定板とから構成される。好ましくは、プロジェクター固定板はパンチングメタルとされる。
【００１１】
上記課題を解決するための請求項10に記載の発明は、上記多機能ボード用プロジェクターハンガーのいずれかを備えたことを特徴とする多機能ボードである。該多機能ボードは、壁面固定式の場合と移動式の場合とがある。一実施形態においては、ボードの支持脚等にパソコン台が設置される。その場合好ましくは、壁固定式ボード及び大型移動式ボードの上辺部及び／又は下辺部に沿うように、スライドコンセントが配備される。
【発明の効果】
【００１２】
本発明は上述したとおりであって、本発明に係る多機能ボード用プロジェクターハンガー及びそれを備えた多機能ボードによれば、プロジェクターの使用者が、最適な状態にて映写するために、映写ボード面に対するプロジェクターの高さ位置、傾斜角度、前後方向の位置、旋回角度等の調節を任意に行うことができて、使用者の利便性を飛躍的に高めることができ、また、移動式多機能ボードの使用場所変更時や不使用時におけるプロジェクターの収納にも至便なる効果がある。
【００１３】
また、新規設置の場合に限らず、既存の黒板補修時等の機会においても、容易に据付設置が可能で、既存の黒板等の機能を拡大し得る効果があり、請求項１３に記載の発明においては、別途パソコン台を用意することなく、プロジェクター、電子ボード、パソコンを三位一体として即時プロジェクターの使用が可能となり、多機能ボードの一層の機能向上を図ることができ、請求項１４に記載の発明においては、電源コード類が散乱して見苦しくなることを回避できて、周辺の安全性を向上させ得る効果がある。
【発明を実施するための最良の形態】
【００１４】
以下に、本発明を実施するための最良の形態について、図面に依拠して説明する。本発明に係る多機能ボード用プロジェクターハンガーは、電子黒板、ホワイトボード、スクリーンボード等の各種ボードの機能のうちの複数を併有する多機能ボード２に取り付けられて、プロジェクター３を映写ボード面に向けて支持するためのアーム１を有する。アーム１は、プロジェクター３が映写に好適な位置に移動し、且つ、好適な向きに向くように、例えば、プロジェクター３が、例えば、上下方向及び／又はアーム１の長さ方向に移動し得るように支持すると共に、水平方向及び／又は垂直方向に旋回し得るように支持する。
【００１５】
図１乃至図３に示す実施形態は、通常の黒板又はホワイトボードで構成される筆記ボード５と電子ボード６を背中合わせに配置したボード２を、キャスター付きスタンド７によって支持させた移動式多機能ボードに関するものである。図示した例では、スタンド７に、転倒防止脚８が付設されている。
【００１６】
好ましくはアーム１は、ボード２に対してそれ自体が旋回可能に軸支される。そのためには、例えば、スタンド７にパイプ状の軸支筒９が設置され、軸支筒９の上下に短パイプ状の摺動支持環１０が嵌め込まれる（図３参照）。そして、アーム１の一端部に垂設された旋回軸１１が、支持筒９内に摺動回転可能に挿入される。17は、軸支筒９の外側からねじ込んで、旋回軸１１の動きを制止させるための止めネジである。
【００１７】
アーム１と旋回軸１１とを安定的に結合させるために、また、先端部においてプロジェクター３を吊持することになるアーム１の揺動緩和及び撓み防止のために、アーム１と旋回軸１１との間に斜めに方杖材１２を配することが好ましい。
【００１８】
また、同じくア−ム１の揺動緩和と撓み防止のために、軸支筒９の上部に、Ｌ型受け材１４を取り付けた外装筒１３が被装されることもある。このＬ型受け材１４の垂直部の上端には、上方から高さ調節ネジ１５がねじ込まれる。この高さ調節ネジ１５は、上下に移動するアーム１の動きに対応させて螺進又は螺退させることで、常にアーム１に当接してこれを受けることができるようにされる。好ましくは、アーム１に加わる応力を分散させるために、アーム１にパイプ材１６が被装され、高さ調節ネジ１５の頭面がこの応力分散用パイプ材１６に当接するようにされる。
【００１９】
軸支筒９の上面には、旋回軸１１を抱持するようにして、下から順に座金１８、ワッシャー１９、アーム荷重受け座金２０が配置される。この構成により、旋回軸１１の軸芯方向に働く荷重が面方向に分散し、以て旋回軸１１の回転方向の摺動力が平均化して操作性が向上する。
【００２０】
上記構成とすることによりアーム１は、止めネジ１７を緩めた状態において、その旋回軸１１を軸に、外装筒１３と共に旋回可能となり、その旋回動作はＬ型受け材１４（及び方杖材１２）によって支持され、同時にその揺動や撓みが防止される。また、旋回軸１１を軸支筒９に対して上下動させて、アーム1の高さ位置を変更することができる。その場合の旋回軸１１の旋回及び昇降動作は、手動によることとしてもよいし、シリンダー、モーター等を用いての機械的操作によることとしてもよい。
【００２１】
アーム１に対するプロジェクター３の取り付けは、好ましくは、プロジェクター吊持具２１を介して行う。例えば、プロジェクター吊持具２１は、アーム１を進入させることによってアーム１に設置されるスライド枠２２と、垂直方向に向けてスライド枠２２に付設される摺動支持筒２３と、摺動支持筒２３内に摺動可能に挿入される吊持軸２４と、吊持軸２４の下端に取り付けられて吊持軸２４と直交方向にスライドするスライド棒２５と、スライド棒２５に吊持されるプロジェクター固定板２６とで構成される。プロジェクター固定板２６としては、あらゆるメーカーのプロジェクターに対応可能となるという意味において、パンチングメタルを用いることが好ましい。
【００２２】
アーム１はスライド枠２２内を摺動可能、換言すれば、スライド枠２２はアーム１に沿って移動可能とされる。このスライド枠２２の移動は、固定ネジ２７を緩めることにより行うことができ、また、吊持軸２４の摺動は、摺動支持筒２３にねじ込まれた固定ネジ２８を緩めることにより行うことができる。スライド棒２５は、フレキシブルクランプ２９を介して吊持軸２４の下端部に取り付けられる。フレキシブルクランプ２９は、２軸を所望の角度にして連結し得る金具であり、垂直状態の吊持軸２４に対してスライド棒２５を水平状態、あるいは、任意の傾斜状態にすることが可能である。
【００２３】
以上の構成によりプロジェクター３は、固定ネジ２７を緩めてスライド枠２２を移動させることによりアーム１の長さ方向に移動可能であり、固定ネジ２８を緩めて吊持軸２４を移動させることにより上下方向に移動可能である。また、プロジェクター３はプロジェクター固定板２６を介してスライド棒２５に連結されているので、フレキシブルクランプ２９の締め付けネジを緩めてスライド棒２５の角度を変更することにより、プロジェクター３の傾斜角度を任意に設定することができ、以て、旋回軸１１を旋回させることと相俟って、プロジェクター３を映写に最適な位置及び角度に配置することが可能となり、しかも、その操作は容易なものである。
【００２４】
プロジェクター吊持具２１としては、上記の他に、吊持軸２４とスライド棒２５とを自在軸継手（ユニバーサルジョイント）を介して連結する構成、あるいは、スライド棒２５を省略し、吊持軸２４に自在軸継手を介して直接プロジェクター３（又はプロジェクター固定板２６）を連結する構成も考えられる。この自在軸継手を用いた構成の場合は、プロジェクター３の首振り動作の自由性がより高まる。
【００２５】
上述したプロジェクターハンガー一体式の移動式多機能ボードの機能を更に向上させるために、スタンド７の脚部３０又はそれに連設した補助脚にパソコン台３１を設置することが考えられる。例えばパソコン台３１は、テーブル３２をＬ型蝶番３３を介して取り付けたものとする。この場合、不使用時にはテーブル３２を起立させておき、使用時には倒してＬ型蝶番３３の水平部によって水平に支持させる構成とすることができる（図４参照）。これとは逆に、不使用時にテーブル３２を垂下させる構成も可能である。
【００２６】
図５は、パソコン台３１の他の構成例を示すもので、この場合のテーブル３２は、スタンド７の脚部３０又はそれに連設した補助脚に設置した縦板３５の下端にヒンジ止めされ、側部が折畳ダンパーアーム３６を介して縦板の側部に連結される。また、縦板３５の脚部３０に対する取り付け位置を変更可能にすることにより、使用時には所望の方向に向け、不使用時には邪魔にならない方向に向けられるようにすることが可能となる。このように任意の向きに変更可能に構成とすることが好ましいということは、上述した、並びに、後述するいずれの構成のパソコン台３１についてもいえることである。
【００２７】
パソコン台３１の構成としては、上述したもの以外にも、テーブル３２を脚部３０や脚部３０に設置した支持軸に対して周回可能に取り付けると共に、水平位置においてテーブル３２をロックするロック機構を設けた構成や、航空機や新幹線の座席に設置されている引出し式テーブルの如き構成等を採用することができる。なお、このようにパソコン台31を付設する構成は、移動式ボードに限られるわけではなく、後述する固定式ボードについても採用することが望ましいことはいうまでもない。
【００２８】
特に、大型移動式黒板（電子黒板付き）や固定式黒板においては、ボードの上辺部及び／又は下辺部、あるいは、側辺部の沿面等にスライドコンセントを設置することが好ましい。このスライドコンセントは、導電レールを内設した絶縁レールに対し、導電レールに摺接する導電端子を有する絶縁プラグを係合させたもので、絶縁プラグを絶縁レールに沿って任意の位置にずらし動かして使用することができる（図９参照）。このスライドコンセントを配設することにより、電源コード類が散乱して見苦しくなることを回避することができ、また、適宜照明器具を設置したりすることもでき、周辺の安全性を向上させることが可能となる。
【００２９】
なお、アーム１のプロジェクター吊持側と反対側の端部に、バランスウエイトを垂下させることもある。そのようにした場合は、上述したアーム１の揺動現象を一層減少させることが可能となる。
【００３０】
図６及び図７に示す実施形態は、本発明を固定型ボードに適用したものである。この場合においても、プロジェクターハンガーの基本的構成は、上述したところと特に変わるところはないので、図６及び図７において上記実施形態におけると同じ参照符号を付した部分の構成は、上述した構成に準ずるものと理解されたい。
【００３１】
この実施形態は、壁面に固定された黒板４１の上辺及び下辺に沿ってレール４２、４３を敷設し、黒板４１の前面に、レール４２、４３に係合するローラー４４を備えた電子ボード６を配置し、電子ボード６を黒板４１に沿って移動可能にしたものである。なお、図６において電子ボード６の上下部分に＊を付した部分は、ローラー４４の設置位置を示す。この可動の電子ボード６には、適宜折り畳み収納可能にしたパソコン第31が設置される。
【００３２】
黒板４１には平面黒板と曲面黒板とがある。平面黒板及び平面ＵＤ黒板の場合は、摺動支持筒９（旋回軸１１）は電子ボード６の裏面上方に取り付ければよいが、曲面黒板の場合は、黒板４１の端部において摺動支持筒９が黒板４１に接触するおそれがある。図７は、その接触を避けるための構成例を示すもので、その場合電子ボード６の裏面にアーム支柱材４６が固定され、このアーム支柱材４６に取り付けた連結金具４５にローラー４４が設置される。また、アーム支柱材４６にブラケット４７を介してアーム１の軸支筒９が固定される。かくして摺動支持筒９は、電子ボード６の上方において黒板４１から離隔された位置に配置されるため、黒板４１の端部に移動した際に、黒板４１に接触することがなくなる。
【００３３】
この実施形態は、新設の場合だけでなく、既設黒板の改修に際しても適用可能である。即ち、既設黒板４１の表面側の上辺及び下辺にレール４２、４３を敷設し、そこにアーム支柱材４６を組み付け、アーム支柱材４６に、電子ボード６とプロジェクターハンガーとを固定する。
【００３４】
この実施形態においては、レール４２、４３に沿って電子ボード６を横移動させて、黒板４１と電子ボード６とを使い分ける。プロジェクター３を吊持したプロジェクターハンガーは、映写面となる電子ボード６の移動に伴って移動する。プロジェクター3の使用時には、旋回軸11を旋回させたり、プロジェクター3の高さ位置及び向きの調整をしたりして、プロジェクター3を映写に最適な位置及び向きに配置する。
【００３５】
なお、黒板には、複数の筆記面を有するものとして、上げ下げ式黒板や引き分け式黒板があるが、本発明に係るプロジェクターハンガーは、これらの構成の場合にも適用可能である。上げ下げ式黒板の場合は、上下動するボードに本発明に係るプロジェクターハンガー（及びパソコン台31）を備えた電子ボード６を設置する（図６参照）。また、引き分け式黒板としては、例えば図８に示すような、固定ボードをホワイトボード間に電子ボードを配した構成とし、この固定ボード上に横方向に移動可能にホワイトボードを配置する構成が考えられるが、この場合本発明に係るプロジェクターハンガー及びパソコン台３１は、可動のホワイトボードに設置する。
【００３６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３７】
【図１】本発明に係る多機能ボードの一実施形態を示す概略正面図である。
【図２】本発明に係る多機能ボードの一実施形態を示す概略側面図である。
【図３】本発明に係る多機能ボードに用いる本発明に係るプロジェクターハンガーの一実施形態の縦断面図である。
【図４】本発明に係る多機能ボードの一実施形態の部分を示す図である。
【図５】本発明に係る多機能ボードの一実施形態の部分の他の構成を示す図である。
【図６】本発明に係る多機能ボードの他の実施形態を示す概略正面図である。
【図７】本発明に係る多機能ボードの他の実施形態の要部を示す側面縦断面図である。
【図８】本発明に係る多機能ボードの更に他の実施形態を示す概略平面図である。
【図９】本発明に係る多機能ボードに付設されることのあるスライドコンセントの構成を示す図である。
【符号の説明】
【００３８】
１      アーム
２      ボード
３      プロジェクター
７      スタンド
９      軸支筒
１１    旋回軸
１４    Ｌ型受け材
２１    プロジェクター吊持具
２２    スライド枠
２３    摺動支持筒
２４    吊持軸
２５    スライド棒
２６    プロジェクター固定板
２９    フレキシブルクランプ
３１    パソコン台
４２    レール
４３    レール
４４    ローラー
４５    連結金具
４６    アーム支柱材
４７    ブラケット
【図１】
2010139965.tif 000003
【図２】
2010139965.tif 000004
【図３】
2010139965.tif 000005
【図４】
2010139965.tif 000006
【図５】
2010139965.tif 000007
【図６】
2010139965.tif 000008
【図７】
2010139965.tif 000009
【図８】
2010139965.tif 000010
【図９】
2010139965.tif 000011
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
電子黒板、ホワイトボード、スクリーンボード等の各種ボードの機能のうちの複数を併有する多機能ボードにプロジェクターを搭載するためのハンガーであって、前記ハンガーは、前記プロジェクターを映写に好適な位置に移動させ、且つ、好適な向きに向けることが可能な状態にて吊持するアームを有することを特徴とする多機能ボード用プロジェクターハンガー。
【請求項２】
前記アームは、前記プロジェクターが、上下方向及び／又は前記アームの長さ方向に移動し得るように吊持すると共に、前記プロジェクターが、所望の方向に向けて回動し得るように支持することを特徴とする、請求項１に記載の多機能ボード用プロジェクターハンガー。
【請求項３】
前記アームは、水平方向に旋回可能に軸支される、請求項１又は２に記載の多機能ボード用プロジェクターハンガー。
【請求項４】
前記アームは、上下方向に移動可能に支持される、請求項１乃至３のいずれかに記載の多機能ボード用プロジェクターハンガー。
【請求項５】
前記アームは、ボード面に沿って横方向に移動可能にされる、請求項１乃至４のいずれかに記載の多機能ボード用プロジェクターハンガー。
【請求項６】
前記アームは、その長さ方向に移動可能に設置されるプロジェクター吊持具を介して、前記プロジェクターを吊持する、請求項１乃至５のいずれかに記載の多機能ボード用プロジェクターハンガー。
【請求項７】
前記プロジェクター吊持具は、前記アームを進入させることによって前記アームに取り付けられるスライド枠と、前記スライド枠に垂直方向に向くように付設される摺動支持筒と、前記摺動支持筒内に摺動可能に挿入される吊持軸と、前記吊持軸の下端に取り付けられて前記吊持軸と直交方向にスライドするスライド棒と、前記スライド棒に吊持されるプロジェクター固定板とから成る、請求項６に記載の多機能ボード用プロジェクターハンガー。
【請求項８】
前記プロジェクター固定版は、パンチングメタルである、請求項７に記載の多機能ボード用プロジェクターハンガー。
【請求項９】
前記アームは、そのプロジェクター吊持側と反対側の端部にバランスウエイトを備える、請求項１乃至８のいずれかに記載の多機能ボード用プロジェクターハンガー。
【請求項１０】
請求項１乃至９のいずれかに記載の多機能ボード用プロジェクターハンガーを備えたことを特徴とする、多機能ボード。
【請求項１１】
壁面固定式である、請求項１０に記載の多機能ボード。
【請求項１２】
移動式である、請求項１０に記載の多機能ボード。
【請求項１３】
パソコン台を備えていることを特徴とする、請求項１０乃至１２のいずれかに記載の多機能ボード。
【請求項１４】
スライドコンセントを備えていることを特徴とする、請求項１０乃至１３のいずれかに記載の多機能ボード。
【手続補正２】
【補正対象書類名】明細書
【補正対象項目名】００１１
【補正方法】変更
【補正の内容】
【００１１】
上記課題を解決するための請求項１０に記載の発明は、上記多機能ボード用プロジェクターハンガーのいずれかを備えたことを特徴とする多機能ボードである。該多機能ボードは、壁面固定式の場合と移動式の場合とがある。一実施形態においては、ボードの支持脚等にパソコン台が設置される。その場合好ましくは、壁固定式ボード及び大型移動式ボードの上辺部及び／又は下辺部に沿うように、スライドコンセントが配備される。
【手続補正３】
【補正対象書類名】明細書
【補正対象項目名】００１６
【補正方法】変更
【補正の内容】
【００１６】
好ましくはアーム１は、ボード２に対してそれ自体が旋回可能に軸支される。そのためには、例えば、スタンド７にパイプ状の軸支筒９が設置され、軸支筒９の上下に短パイプ状の摺動支持環１０が嵌め込まれる（図３参照）。そして、アーム１の一端部に垂設された旋回軸１１が、支持筒９内に摺動回転可能に挿入される。１７は、軸支筒９の外側からねじ込んで、旋回軸１１の動きを制止させるための止めネジである。
【手続補正４】
【補正対象書類名】明細書
【補正対象項目名】００２０
【補正方法】変更
【補正の内容】
【００２０】
上記構成とすることによりアーム１は、止めネジ１７を緩めた状態において、その旋回軸１１を軸に、外装筒１３と共に旋回可能となり、その旋回動作はＬ型受け材１４（及び方杖材１２）によって支持され、同時にその揺動や撓みが防止される。また、旋回軸１１を軸支筒９に対して上下動させて、アーム１の高さ位置を変更することができる。その場合の旋回軸１１の旋回及び昇降動作は、手動によることとしてもよいし、シリンダー、モーター等を用いての機械的操作によることとしてもよい。
【手続補正５】
【補正対象書類名】明細書
【補正対象項目名】００２７
【補正方法】変更
【補正の内容】
【００２７】
パソコン台３１の構成としては、上述したもの以外にも、テーブル３２を脚部３０や脚部３０に設置した支持軸に対して周回可能に取り付けると共に、水平位置においてテーブル３２をロックするロック機構を設けた構成や、航空機や新幹線の座席に設置されている引出し式テーブルの如き構成等を採用することができる。なお、このようにパソコン台３１を付設する構成は、移動式ボードに限られるわけではなく、後述する固定式ボードについても採用することが望ましいことはいうまでもない。
【手続補正６】
【補正対象書類名】明細書
【補正対象項目名】００３１
【補正方法】変更
【補正の内容】
【００３１】
この実施形態は、壁面に固定された黒板４１の上辺及び下辺に沿ってレール４２、４３を敷設し、黒板４１の前面に、レール４２、４３に係合するローラー４４を備えた電子ボード６を配置し、電子ボード６を黒板４１に沿って移動可能にしたものである。なお、図６において電子ボード６の上下部分に＊を付した部分は、ローラー４４の設置位置を示す。この可動の電子ボード６には、適宜折り畳み収納可能にしたパソコン台３１が設置される。
【手続補正７】
【補正対象書類名】明細書
【補正対象項目名】００３４
【補正方法】変更
【補正の内容】
【００３４】
この実施形態においては、レール４２、４３に沿って電子ボード６を横移動させて、黒板４１と電子ボード６とを使い分ける。プロジェクター３を吊持したプロジェクターハンガーは、映写面となる電子ボード６の移動に伴って移動する。プロジェクター３の使用時には、旋回軸１１を旋回させたり、プロジェクター３の高さ位置及び向きの調整をしたりして、プロジェクター3を映写に最適な位置及び向きに配置する。
【手続補正８】
【補正対象書類名】明細書
【補正対象項目名】００３５
【補正方法】変更
【補正の内容】
【００３５】
なお、黒板には、複数の筆記面を有するものとして、上げ下げ式黒板や引き分け式黒板があるが、本発明に係るプロジェクターハンガーは、これらの構成の場合にも適用可能である。上げ下げ式黒板の場合は、上下動するボードに本発明に係るプロジェクターハンガー（及びパソコン台３１）を備えた電子ボード６を設置する（図６参照）。また、引き分け式黒板としては、例えば図８に示すような、固定ボードをホワイトボード間に電子ボードを配した構成とし、この固定ボード上に横方向に移動可能にホワイトボードを配置する構成が考えられるが、この場合本発明に係るプロジェクターハンガー及びパソコン台３１は、可動のホワイトボードに設置する。